(57)【要約】【課題】簡易な操作により使用者が容易に報知音等を変更することができる給湯リモコンを提供する。【解決手段】本発明の給湯リモコンは、台所用リモコン１と浴室用リモコン２とにより構成される。本発明においては、台所用リモコン１により音声メッセージの入力を行い、この入力されたメッセージを台所用リモコン１のみならず浴室用リモコン２においても使用することを特徴としている。台所用リモコン１には通常の給湯熱源機３の制御を行う機能の他に、外部から音声データを入力することができる入力手段４を備えている。この入力手段４は、外部の音声を直接入力するマイク５と、音声データや画像データが保存されたメモリカード６ａが挿入されるカードスロット６と、パソコン等に接続されたケーブル７ａが挿入されるネットワークスロット７とからなる。【選択図】  図１
2005003263.tif 000002
【特許請求の範囲】
【請求項１】
給湯熱源機の操作を行う給湯リモコンであって、台所に設置される台所用リモコンと、浴室に設置される浴室用リモコンと、使用者により任意に音声の入力が可能な入力手段と、前記入力手段により入力された音声を記憶する記憶手段と、前記台所用リモコン及び前記浴室用リモコンに設けられた音声再生手段と、前記各手段の制御を行う制御手段とを備え、
前記入力手段は前記台所用リモコンに設けられ、前記制御手段は前記台所用リモコン又は前記浴室リモコンにおいて音声による報知を行う際に前記記憶手段に記憶された音声を用いることを特徴とする給湯リモコン。
【請求項２】
前記入力手段がマイクであることを特徴とする請求項１に記載の給湯リモコン。
【請求項３】
少なくとも前記台所用リモコンに画像データを表示させる表示画面が設けられ、前記入力手段はデジタルデータを入力するデータ入力手段であって音声データのみならず画像データも入力可能であり、前記記憶手段は前記入力手段により入力された画像データも記憶可能であり、前記制御手段は前記記憶手段に記憶された画像データを前記表示画面に表示可能であることを特徴とする請求項１に記載の給湯リモコン。
【発明の詳細な説明】
【０００１】
【発明の属する技術の分野】
本発明は、台所や浴室等に給湯を行う給湯システムを制御するリモコンに関する。
【０００２】
【従来の技術】
台所や浴室等に給湯を行う給湯システムにおいては、例えば自動湯張りが終了した際に「お風呂が沸きました」等の音声メッセージで使用者に報知するものが知られている。これらの音声メッセージは、予め各リモコンや給湯熱源機に内蔵された記憶手段に記憶されており、変更等ができないものが一般的であった。
【０００３】
一方、下記特許文献１においては、給湯熱源機に内蔵された記憶手段に書き換え可能な不揮発性記憶手段を用いた給湯システムが開示されている。この特許文献１に開示された給湯システムでは、給湯熱源機に設けられたインターフェースを介してデータ書き換え手段により給湯熱源機に内蔵された不揮発性記憶手段の内容を書き換え、音声データの追加等を行うことができる。
【０００４】
しかしながら、使用者が報知メッセージを変更したい場合であっても、音声データの変更は給湯熱源機内のデータの書き換えを行わなければならない。一方、給湯熱源機は通常室外に設置されており、さらに風雨を避けるために熱源機本体やインターフェースにカバー等がなされている場合が多い。このため、給湯熱源機のデータの書き換えを行う際にこれらのカバー等の付け外しが必要となり、作業が面倒であった。
【０００５】
【特許文献１】
特開２００１−３０４６７７
【０００６】
【発明が解決しようとする課題】
本発明は、給湯リモコンの改良を目的とし、さらに詳しくは前記不都合を解消するために、簡易な操作により使用者が容易に報知音等を変更することができる給湯リモコンを提供することを目的とする。
【０００７】
【課題を解決するための手段】
前記目的を達成するために、本発明の給湯リモコンは、給湯熱源機の操作を行う給湯リモコンであって、台所に設置される台所用リモコンと、浴室に設置される浴室用リモコンと、使用者により任意に音声の入力が可能な入力手段と、前記入力手段により入力された音声を記憶する記憶手段と、前記台所用リモコン及び前記浴室用リモコンに設けられた音声再生手段と、前記各手段の制御を行う制御手段とを備え、前記入力手段は前記台所用リモコンに設けられ、前記制御手段は前記台所用リモコン又は前記浴室リモコンにおいて音声による報知を行う際に前記記憶手段に記憶された音声を用いることを特徴とする。
【０００８】
本発明の給湯リモコンによれば、前記入力手段が前記台所用リモコンに設けられているため、使用者が報知に用いられる音声を変更したいときは台所において即座に音声の入力を行うことができる。また、前記制御手段が、前記台所用リモコン又は前記浴室用リモコンに対して前記記憶手段に記憶された音声により報知を行うため、台所用リモコンのみならず浴室用リモコンに対しても新たに入力した音声による報知を行うことができる。このように、本発明の給湯装置によれば、報知の際の音声を変更したい場合であっても従来のように給湯熱源機から音声データを入力する必要がないため、容易に音声の変更を行うことができる。
【０００９】
また、本発明の給湯リモコンにおいては、前記入力手段がマイクであることが好ましい。入力手段をマイクとすることにより、使用者は報知の音声を変更したいときは直接使用者の声や音楽等を入力することが可能となる。従って、使用者は特別な音声入力装置等の操作を必要とすることなく簡易な操作で音声データを入力することができる。また、浴室ではなく台所で録音することにより、浴室のように音が反響しないため、聞き取りやすいメッセージを録音することができる。
【００１０】
また、本発明の給湯リモコンにおいては、少なくとも前記台所用リモコンに画像データを表示させる表示画面が設けられ、前記入力手段がデジタルデータを入力するデータ入力手段であって音声データのみならず画像データも入力可能であり、前記記憶手段は前記入力手段により入力された画像データも記憶可能であり、前記制御手段は前記記憶手段に記憶された画像データを前記表示画面に表示可能であることが好ましい。
【００１１】
近年の給湯リモコンにおいては、設定温度等を表示するための液晶画面等の表示画面を備えているものも多い。前記制御手段は、前記表示画面に前記記憶手段により記憶された画像データを前記表示画面に表示させることができるので、使用者により操作がされていない状態の際の画面や操作時の報知等を行う画面に任意の画像を表示させることができる。
【００１２】
【発明の実施の形態】
次に、本発明の給湯リモコンの実施形態の一例について、図１乃至図３を参照して説明する。図１は台所用リモコンの構成を示す説明図、図２は台所用リモコン及び浴室用リモコンの機能的構成を示すブロック図、図３は台所用リモコンの液晶パネルに表示されるメッセージを示す説明図である。
【００１３】
本実施形態の給湯リモコンは、台所に設置される台所用リモコン１と、浴室に設置される浴室用リモコン２とにより構成され（図２参照）、これらのリモコンによって給湯熱源機３の運転制御等を行うものである。本実施形態の給湯リモコンは、台所用リモコン１により音声メッセージ或いは画像データの入力を行い、この入力されたメッセージ或いはデータを台所用リモコン１のみならず浴室用リモコン２においても使用することを特徴としている。
【００１４】
台所用リモコン１は、通常の給湯熱源機３の制御を行う機能の他に、外部から音声データを入力することができる入力手段４を備えている。この入力手段４は、図２に示すように、外部の音声を直接入力するマイク５と、音声データや画像データが保存されたメモリカード６ａが挿入されるカードスロット６と、パソコン等に接続されたケーブル７ａが挿入されるネットワークスロット７とからなる。
【００１５】
また、台所用リモコン１は、入力手段４を除いて従来の台所用リモコンと同様の構成を備えており、図１に示すように、給湯温度や自動湯張りの状況等を表示する液晶パネル８と、給湯温度や自動湯張りの温度等を設定するための設定ボタン９と、設定条件を変更する上昇ボタン１０及び下降ボタン１１と、使用者が好みの操作を割り当てることができるお好みボタン１２とを備えている。液晶パネル８には、図１及び図３に示すように各種の設定をするためのポインタ１３が表示される。
【００１６】
さらに、台所用リモコン１は、浴室内との通話を行う通話ボタン１４と、浴槽内に自動湯張りを行う自動ボタン１５と、給湯装置の電源のオンオフを行う運転ボタン１６と、各ボタンの操作音や自動湯張りの終了時等にメッセージを音声で出力するスピーカ１７とを備えている。
【００１７】
次に、台所用リモコン１の機能的構成について図２を参照して説明すると、入力手段４とスピーカ１７は、これらの制御を行うコントローラ１８に接続されている。また、コントローラ１８には、音声データの書き込み及び消去が可能な音声ＩＣ１９と、給湯熱源機３及び浴室用リモコン２との通信を行う通信手段２０とが接続されている。さらにコントローラ１８には設定ボタン９等の各種ボタンが接続されている。
【００１８】
浴室用リモコン２の機能的構成について図２を参照して説明すると、給湯熱源機３及び台所用リモコン１との通信を行う通信手段２１と、スピーカ２２と、コントローラ２３と設定ボタン９等の各種ボタンを備えている。また、浴室用リモコン２においては、音声データの書き込み等ができない音声ＩＣ２４が設けられている。尚、浴室用リモコン２には、浴槽内の湯の追焚を行う追焚ボタン２５が設けられている。また、その他の構成は台所用リモコン１と同様であるので、台所用リモコン１と同様の符号を付して詳細な説明は省略する。
【００１９】
また、本実施形態においては、給湯熱源機３には台所用リモコン１の液晶パネル８に表示される画像を記憶する不揮発性記憶手段であるＥＥＰＲＯＭ２６が設けられている。このＥＥＰＲＯＭ２６は、台所リモコン１の入力手段４から入力された画像を記憶することができるようになっている。
【００２０】
本実施形態においては、浴室用リモコン２には入力手段４は用いられていないが、その理由は以下の通りである。まず、浴室用リモコン２にカードスロット６等を設けた場合、当該カードスロット６等の防水を行わなければならず、構成が複雑になるためである。次に、浴室用リモコン２にマイク５を設けて録音を行うと、浴室内に録音内容が反響してメッセージが聞き取りにくくなるためである。
【００２１】
次に、本実施形態の給湯リモコンにおいて使用者が音声メッセージを変更する際の手順について図１乃至図３を参照して説明する。本実施形態においては、各種ボタンが操作されると、コントローラ１８が液晶パネル８の表示を切り替えて使用者の次の操作を促すことにより、メッセージの変更等を行っている。
【００２２】
使用者が「自動湯張り終了」の際のメッセージを変更しようとする場合、台所用リモコン１の設定ボタン９を押す。すると、図１の液晶パネル８に示すように、何を設定するのかを選択する画面に切り替わる。図１においては、「メッセージ」と「おいだき」と「たし湯」が表示されているが、その他、給湯温度や浴槽内の温度等の設定を行うことができる。そして、使用者がメッセージを変更する際には、上昇ボタン１０又は下降ボタン１１を使用してポインタ１３を上下方向に移動させ、図１の液晶パネル８のように、「メッセージ」にポインタ１３を合わせて設定ボタン９を押す。
【００２３】
すると、液晶パネル８の画面が、図３ａに示す画面に切り替わる。図３ａにおいては、「湯張り終了」「呼び出し」及び「エラーメッセージ」等からどのメッセージを変更するかを問われるので、使用者は上昇ボタン１０又は下降ボタン１１を使用してポインタ１３を上下方向に移動させて自分の設定したいメッセージを選択する。そして、使用者が湯張り終了時のメッセージを変更したい場合は、図３ａの液晶パネル８のように「湯張り終了」にポインタ１３を合わせて設定ボタン９を押す。
【００２４】
すると、液晶パネル８の画面が、図３ｂに示す画面に切り替わる。図３ｂにおいては、変更の方法を問われる。本実施形態では「新しく録音」「記録済みデータ」及び「画像変更」等のメニューがある。使用者は、メッセージを新たに録音するか、既に録音されているメッセージを選択するかをポインタ１３を移動させることにより決定する。新しく録音する場合は、図３ｂの液晶パネル８のように「新しく録音」にポインタ１３を合わせて設定ボタン９を押す。
【００２５】
すると、液晶パネル８の画面が、図３ｃに示す画面に切り替わる。図３ｃにおいては、録音の方法を問われるため、使用者は録音したいメッセージをマイク５により録音するか、メモリカード６ａからデータを入力するか、ケーブル７ａを介してデータ通信によりデータを入力するかをポインタ１３及び設定ボタン９により選択する。
【００２６】
ここで、マイク５を選択した場合、液晶パネル８の画面が図３ｄに示す画面に切り替わる。ここでは、「スタート」の表示がなされており、設定ボタン９を押すことによりマイク５からの録音を開始することができる。録音が開始されると、液晶パネル８の表示は図３ｅ示すように「スタート」から「ストップ」に切り替わり、使用者が録音を終了したときは、その状態で設定ボタン９を押すことによりマイク５での録音を終了させることができる。
【００２７】
録音が終了すると、液晶パネル８の画面が図３ｆに示す画面に切り替わる。図３ｆにおいては、「ＯＫ」か「再生」か「やりなおし」かを選択することができる。録音に成功した場合は、「ＯＫ」を選択してデータを記憶させてもよく、「再生」を選択して確認してもよい。以上の手順により録音が終了し、「ＯＫ」が選択されると、液晶パネル８の画面上に「あ」から「ん」までの文字が５０音表になって表示されるので（図示せず）、使用者は上昇ボタン１０又は下降ボタン１１により任意の文字を選択し、文字変換等を行って録音されたデータの題名を決める。
【００２８】
このように録音された音声データに題名が決められると、コントローラ１８は録音された音声データを台所用リモコン１に設けられている音声ＩＣ２０に記憶させる。これにより、当該音声データが湯張り終了のメッセージとして使用できるようになる。
【００２９】
次に、メモリカード６ａから音声データを取り込む場合について説明する。メモリカード６ａがカードスロット６に予め装着されている状態で、図３ｃに示す液晶パネル８の画面から「メモリカード」を選択すると、図３ｇに示すように、メモリカード６ａ内に記憶されている音声データの一覧が表示される。この音声データは、使用者が予めＭＰ３形式等のデータ形式で記録しておいたものである。また、メモリカード６ａがカードスロット６に装着されていない場合は、「カードスロットにメモリカードを挿入してください」等のメッセージが液晶パネル８に表示される（図示せず）。
【００３０】
液晶パネル８に音声データの一覧が表示された状態で、使用者は使用したい音声データをポインタ１３で選択し、設定ボタン９を押す。すると、コントローラ１８は、当該音声データを台所用リモコン１の音声ＩＣ１９に記憶させる。このような操作により、使用者はメモリカード６ａ内の音声データを給湯リモコンのメッセージとして使用することができる。
【００３１】
次に、データ通信により音声データを取り込む場合について説明する。ネットワークスロット７にケーブル７ａが装着された状態で、図３ｃに示す液晶パネル８の画面から「データ通信」を選択すると、液晶パネル８にはケーブル７ａに接続されたパソコン（図示せず）の所定の記憶領域に記憶されている音声データの一覧が表示される。具体的には、コントローラ１８がパソコンのハードディスク内の所定のフォルダ（図示せず）にアクセスできるように予め設定しておき、そのフォルダ内の音声データの一覧を液晶パネル８に表示させる（図３ｇ参照）。
【００３２】
液晶パネル８に音声データの一覧が表示されたときは、上記メモリカード６ａの場合と同様に、使用者は音声データをポインタ１３で選択することにより、パソコン内の音声データを給湯リモコンのメッセージとして使用することができる。
【００３３】
一方、図３ｂに示す液晶パネル８の画面において、「記録済みデータ」を選択すると、液晶パネル８の画面が図３ｈに示す画面に切り替わる。ここでは、音楽である「愛のメロディ」と、鳥の鳴き声を収録した「鳥のさえずり１」と、従前に録音しておいた「母の声」及び「父の声」等の音声データを選択することができる。これらのいずれかにポインタ１３を合わせて設定ボタン９を押すと、選択された音声データが湯張り終了のメッセージとして使用できるようになる。
【００３４】
次に、使用者の好みにより設定されたメッセージが実際に用いられる際の作動について説明する。使用者が台所用リモコン１又は浴室用リモコン２により自動湯張りを作動させた場合、給湯熱源機３から浴槽（図示せず）内に湯張りが行われる。そして、湯張りが終了すると、台所用リモコン１のコントローラ１８が音声ＩＣ１９に記憶されている湯張り終了時のメッセージを台所用リモコン１のスピーカ１７から出力する。
【００３５】
同時に、台所用リモコン１のコントローラ１８は音声ＩＣ１９に記憶されている湯張り終了時のメッセージが浴室用リモコン２の音声ＩＣ２４に予め記憶されている音声データであるか否かの判断を行う。湯張り終了時のメッセージは台所用リモコン１のマイク５により録音されたオリジナルメッセージである場合は、浴室用リモコン２の音声ＩＣ２４には記憶されていない。従って、台所用リモコン１のコントローラ１８は、台所用リモコン１の音声ＩＣ１９に記憶されている湯張り終了時のメッセージを、通信手段２０を介して浴室用リモコン２に送信し、浴室用リモコン２のコントローラ２３を介してスピーカ２２から浴室内に出力する。
【００３６】
一方、湯張り終了時のメッセージが浴室用リモコン２の音声ＩＣ２４に記憶されているものであれば、浴室用リモコン２のコントローラ２３が音声ＩＣ２４に記憶されている音声メッセージをスピーカ２２から浴室内に出力する。
【００３７】
以上のように、本実施形態においては、台所用リモコン１のみによってオリジナルの音声メッセージを収録することができる。一方、一旦収録されたオリジナルメッセージは、台所用リモコン１のみならず浴室用リモコン２においても使用できる。
【００３８】
また、本実施形態においては、図３ｂに示すように、画像の変更も行うことができるようにしている。例えば、湯張り終了の際に、音声メッセージとして新規に録音した内容をスピーカ１７から出力するのと同時に、液晶パネル８に使用者がデジタルカメラ（図示せず）等で撮影した画像を表示できるようにしている。この画像の変更は、給湯熱源機３に設けられたＥＥＰＲＯＭ２６に予め記録された画像を選ぶこともでき、メモリカード６ａからＥＥＰＲＯＭ２６に取り込んだり、ケーブル７ａを介してデジタルカメラやパソコン（図示せず）からＥＥＰＲＯＭ２６に取り込むことができるようになっている。尚、ＥＥＰＲＯＭ２６は台所用リモコン１や浴室用リモコン２に設けてもよい。
【００３９】
尚、上記実施形態においては、浴室用リモコン２の音声ＩＣ２４には音声データの書き込み及び消去ができないものを使用しているが、これに限らず、台所用リモコン１と同様に音声データの書き込み及び消去が可能な音声ＩＣを使用してもよい。この場合は、台所用リモコン１によって新たなメッセージが録音された場合に、台所用リモコン１の音声ＩＣ１９に当該メッセージを記憶させると同時に浴室用リモコン２の音声ＩＣ２４にも当該メッセージを記憶させる。そして、湯張り終了時等にそれぞれのリモコンにおいて音声ＩＣ１９，２４に記憶されたメッセージをスピーカ１７，２２から出力すればよい。
【００４０】
また、上記実施形態においては、データ通信の手段として、ケーブル７ａとネットワークスロット７を用いているが、これに限らず、赤外線等を利用した無線ネットワークに接続されるように無線用の受信機を設けてもよい。
【図面の簡単な説明】
【図１】台所用リモコンの構成を示す説明図は。
【図２】台所用リモコン及び浴室用リモコンの機能的構成を示すブロック図。
【図３】台所用リモコンの液晶パネルに表示されるメッセージを示す説明図。
【符号の説明】
１…台所用リモコン、２…浴室用リモコン、３…給湯熱源機、４…入力手段、１７，２２…スピーカ（音声再生手段）、１８，２３…コントローラ（制御手段）、１９，２４…音声ＩＣ（記憶手段）。
【図１】
2005003263.tif 000003
【図２】
2005003263.tif 000004
【図３】
2005003263.tif 000005